(57)【要約】【課題】三角屋根の天井裏に、室内機の長さが登り梁の間隔よりも長い室内機を登り梁を避けて設置できるようにする。【解決手段】熱交換ユニット２０と送風機ユニット３０が分割されている室内機１０Ａを棟木１と軒桁２との間に複数本の登り梁３が互いに平行に設けられている三角屋根の天井裏に設置するにあたって、熱交換ユニット２０の筐体２０Ａ内で熱交換器２５の端部を支持する支持具２７に、筐体２０Ａの上辺側の角部に登り梁の一部分が通される梁挿通溝４０を形成する梁避け部２８を一体に設ける。【選択図】図３
2018194248.tif 000002
【特許請求の範囲】
【請求項１】
直方体状の第１筐体内に熱交換器が収納されている熱交換ユニットと、直方体状の第２筐体内に送風機が収納されている送風機ユニットとを含む室内機を備え、上記室内機が、頂部に配置される棟木、上記棟木と平行で裾部に互いに平行に配置される一対の軒桁および上記棟木と上記軒桁の間に斜めに架け渡される登り梁を含む三角形状を呈する三角屋根の屋根裏に設置される天井埋込ダクト型空気調和機において、
上記熱交換ユニットは、上記第１筐体内に上記熱交換器の端部を支持する支持具を有し、上記支持具の一部分に、上記第１筐体の上辺側の角部に上記登り梁の一部分が通される梁挿通溝を形成する梁避け部が設けられていることを特徴とする天井埋込ダクト型空気調和機。
【請求項２】
上記梁避け部は、上記第１筐体のうちの上記第２筐体との連結部に接して配置されていることを特徴とする請求項１に記載の天井埋込ダクト型空気調和機。
【発明の詳細な説明】
【技術分野】
【０００１】
本発明は、熱交換ユニットと送風機ユニットが分割されている天井埋込ダクト型空気調和機に関し、さらに詳しく言えば、三角屋根の比較的狭い天井裏に配置されるのに好適な天井埋込ダクト型空気調和機に関するものである。
【背景技術】
【０００２】
天井埋込ダクト型空気調和機は、その室内機が天井裏（屋根裏）に設置されるが、天井裏への搬入口（間口）が狭いため、図８に示すように、室内機１０に含まれる熱交換ユニット２０と送風機ユニット３０とが分割されており、これらユニット２０，３０を別々に天井裏に搬入して組み立てるようにしている（例えば、特許文献１参照）。
【０００３】
ところで、図９に示すような三角屋根の場合、その梁構造によって、天井裏で熱交換ユニット２０と送風機ユニット３０を連結して組み立てられないことがある。
【０００４】
三角屋根は、頂部に配置される棟木１、棟木１と平行で裾部に互いに平行に配置される一対の軒桁２、２、棟木１と軒桁２、２の間に斜めに架け渡される登り梁（垂木）３および軒桁２、２間に架け渡される小屋梁４を含む三角形状を呈し、登り梁３の間隔は、一般的に、６００ｍｍ（もしくはそれ以上）に規定されている。また、登り梁３の幅は２×４工法（木造枠組壁工法）の場合で２０〜５０ｍｍ程度と規定されている。
【０００５】
近年、高い空調能力が要求され、これに伴って大型の熱交換器や送風機等が用いられることから、熱交換ユニット２０と送風機ユニット３０がともに大型となり、これらユニット２０，３０を連結したときの室内機１０の長さ（通風方向に沿った長さ）Ｌが例えば９５０ｍｍとなり、上記三角屋根における登り梁３の間隔６００ｍｍを超えるため、登り梁３が邪魔となり、熱交換ユニット２０と送風機ユニット３０とを連結(接続)することができない。
【０００６】
そのため、長さＬが６００ｍｍ未満で登り梁３，３間に収まる室内機１０を採用することになるが、１台で空調能力が不足する場合には２台目が必要となり、その分、コスト高になるとともに設置作業も煩雑になる、という問題がある。
【０００７】
なお、特許文献２には、ケーシング内に形成された背面側から前面側に向かう通風経路内に、背面側から前面側に向かって順にファンおよび熱交換器を配置することによって構成される天井埋込ダクト型室内ユニットにおいて、ケーシングのうちの熱交換器が配置される前面寄りの部分をファンが配置される背面側部分の高さ寸法よりも大きくなるように上方に突出した外形形状とすることにより、熱交換器を大型化しつつ、天井裏空間への設置を可能にする（空調性能の確保と制約された天井裏空間への設置の両立をはかる）ことが記載されている。
【０００８】
しかしながら、ファンが配置される背面側部分（上記送風機ユニット３０に相当）を、熱交換器が配置される前面寄りの部分（上記熱交換ユニット２０に相当）よりも小型にしたとしても、上記三角屋根の天井裏に設置する場合、登り梁３との干渉が避けられるとは限らない。すなわち、特許文献２に記載の発明は、上記三角屋根の天井裏への設置については何ら考慮されていない。
【先行技術文献】
【特許文献】
【０００９】
【特許文献１】特開２０１１−１５８１８７号公報
【特許文献２】特開２０１３−２４９９９４号公報
【発明の概要】
【発明が解決しようとする課題】
【００１０】
ところで、登り梁３との干渉を避けるための対策の一つとして、熱交換ユニット２０と送風機ユニット３０のいずれかの上面側の角部に登り梁３の一部分が通される梁避け用の溝（梁挿通溝）を形成することが考えられる。
【００１１】
まず、送風機ユニット３０の上面側の角部に梁挿通溝を形成する場合、板金製である筐体の当該部分を切り欠いて梁挿通溝形成用の金具を取り付けることになるが、送風機ユニット３０内の上面側角部には支持構造体がないため、梁挿通溝形成用の金具を支持する専用金具が別途必要となり、その分、部品点数および作業工数が増えることになるので、好ましくない。
【００１２】
また、天井埋込ダクト型空気調和機では、通常、送風機としてシロッコファンが用いられる。シロッコファンの場合、ファンケーシングの多翼回転筒の軸方向端部に対向する側面に空気吸込口があるため、筐体内面とシロッコファンとの間の空間には通風抵抗物がないことが好ましい。このような理由から、送風機ユニット３０側に通風抵抗となる梁挿通溝形成用の金具を設けることは好ましくない。
【００１３】
したがって、本発明の課題は、合理的に配置された梁挿通溝を有し、上記した梁構造の三角屋根の天井裏に室内機の長さが登り梁の間隔よりも長い室内機を登り梁を避けて設置できるようにした天井埋込ダクト型空気調和機を提供することにある。
【課題を解決するための手段】
【００１４】
上記した課題を解決するため、本発明は、直方体状の第１筐体内に熱交換器が収納されている熱交換ユニットと、直方体状の第２筐体内に送風機が収納されている送風機ユニットとを含む室内機を備え、上記室内機が、頂部に配置される棟木、上記棟木と平行で裾部に互いに平行に配置される一対の軒桁および上記棟木と上記軒桁の間に斜めに架け渡される登り梁を含む三角形状を呈する三角屋根の天井裏に設置される天井埋込ダクト型空気調和機において、
上記熱交換ユニットは、上記第１筐体内に上記熱交換器の端部を支持する支持具を有し、上記支持具の一部分に、上記第１筐体の上辺側の角部に上記登り梁の一部分が通される梁挿通溝を形成する梁避け部が設けられていることを特徴としている。
【００１５】
本発明において、上記梁避け部は、上記第１筐体のうちの上記第２筐体との連結部に接して配置されることが好ましい。
【発明の効果】
【００１６】
本発明によれば、熱交換ユニットの第１筐体の上辺側の角部に、登り梁の一部分が通される梁挿通溝が形成されているため、室内機の長さが登り梁の間隔よりも長い室内機を登り梁を避けて設置することができる。
【００１７】
また、梁避け部は第１筐体内に熱交換器の端部を支持する支持具の一部分に設けられ、支持具と梁避け部が一つの部品として纏められているため、梁避け部を設けるにあたって、特に梁避け部を単独の別部品として用意する必要はない。
【図面の簡単な説明】
【００１８】
【図１】本発明に係る天井埋込ダクト型空気調和機の第１実施形態を示す斜視図。
【図２】上記第１実施形態の熱交換ユニットと送風機ユニットを分離して示す斜視図。
【図３】図２における熱交換ユニットを分解して示す斜視図。
【図４】熱交換器の支持具を示す斜視図。
【図５】上記支持具の別の例を示す斜視図。
【図６】本発明に係る天井埋込ダクト型空気調和機の第２実施形態を示す斜視図。
【図７】上記第２実施形態の熱交換ユニットと送風機ユニットを分離して示す斜視図。
【図８】天井埋込ダクト型空気調和機の室内機を示す模式的な斜視図。
【図９】三角屋根の梁構造を示す斜視図。
【発明を実施するための形態】
【００１９】
次に、図１ないし図７により、本発明の実施形態について説明するが、本発明はこれに限定されるものではない。
【００２０】
まず、図１ないし図３を参照して、この実施形態に係る天井埋込ダクト型空気調和機（以下、「室内機」ということがある。）１０Ａは、熱交換ユニット２０と送風機ユニット３０とを備えている。
【００２１】
熱交換ユニット２０と送風機ユニット３０は、分割した状態で天井裏に搬入され、天井裏で一体となるように組み立てられる。組み立てられた熱交換ユニット２０と送風機ユニット３０は、図示しない吊り下げボルト等の吊下具により天井裏に吊り下げられる。
【００２２】
熱交換ユニット２０は、直方体状の筐体（第１筐体）２０Ａを備えている。筐体２０Ａは、上面パネル２１，底面パネル２２、左側の側面パネル２３Ｌおよび右側の側面パネル２３Ｒを含み、図１，２に示すように、手前側の前面と後ろ側の背面は通気のため開口されている。
【００２３】
手前側の開口の周縁には、図示しないダクトを連結するためのフレーム２４が取り付けられている。左側の側面パネル２３Ｌおよび右側の側面パネル２３Ｒを区別する必要がない場合には、総称として側面パネル２３と言う。
【００２４】
図３に示すように、筐体２０Ａ内には、熱交換器２５とドレンパン（露受け皿）２６が収納されている。この実施形態において、熱交換器２５には、ともに平面型の第１熱交換器２５ａと第２熱交換器２５ｂの各一辺側を連結部材にて結合してくさび状（くの字状とも言う）とした熱交換器が用いられている。
【００２５】
この実施形態において、右側の側面パネル２３Ｒは、熱交換器２５の配管接続部２５１とドレンパン２６の排水口２６１を筐体外に引き出すための引出案内溝２３１と、側面パネル２３Ｒの図３において手前側の側辺から筐体２０Ａの手前側に回り込むように折り曲げられた幕板２３２とを備えている。
【００２６】
熱交換器２５は、その両端に取り付けられる支持具２７を介して筐体２０Ａ内に固定される。図３には、熱交換器２５の両端部に取り付けられる支持具２７のうちの右側の支持具２７のみが示されているが、図示されていない左側の支持具の形状は、右側の支持具２７の形状と左右対称である。
【００２７】
送風機ユニット３０は、熱交換ユニット２０の筐体２０Ａとほぼ同じ形状・同じ大きさである直方体状の筐体（第２筐体）３０Ａを備えている。筐体３０Ａは、上面パネル３１，底面パネル３２、左側の側面パネル３３Ｌおよび右側の側面パネル３３Ｒを含み、この実施形態において、その内部に２台の送風ファン（好ましくはシロッコファン）３５が設けられている。
【００２８】
図１，２に示すように、筐体３０Ａの手前側の前面と後ろ側の背面は通気のため開口されており、この実施形態において、送風ファン３５の運転により、筐体３０Ａの背面から空気が吸い込まれ、筐体３０Ａの前面から空気が吹き出される。
【００２９】
筐体３０Ａの前面（空気吹出側）には、仕切り板３４が設けられている。仕切り板３４には、送風ファン３５，３５の各空気吹出部に対応する通風窓３４ａ，３４ａが形成されている。この実施形態において、送風ファン３５の運転により、送風機ユニット３０側から熱交換ユニット２０に向けて空気が流れる。
【００３０】
なお、図示しないが、熱交換ユニット２０の上記仕切り板３４と対向する部分には、熱交換ユニット２０と送風機ユニット３０と連結する連結手段が設けられている。
【００３１】
実寸例として、熱交換ユニット２０の長さ（通風方向に沿った長さ）Ｌ１は約４６０ｍｍ，送風機ユニット３０の長さＬ２は約４９０ｍｍである。なお、両ユニット２０、３０ともに、横幅Ｗは約１４００ｍｍ、高さＨは約３６５ｍｍである。また、この室内機１０Ａが設置される三角屋根における対向する軒桁２間の距離（小屋梁４の長さ）は約１６５０ｍｍである。
【００３２】
熱交換ユニット２０と送風機ユニット３０を連結した場合、室内機１０Ａの全長はＬ１＋Ｌ２＝約９５０ｍｍとなる。これに対して、三角屋根における登り梁３の間隔が例えば６００ｍｍであるとすると、先にも説明したように、登り梁３が邪魔となり、熱交換ユニット２０と送風機ユニット３０とを連結することができない。
【００３３】
そこで、この実施形態では、熱交換ユニット２０が備えている筐体２０Ａの上辺側の両角部（上面パネル２１と側面パネル２３とが交わる角）に登り梁３（図９参照）の一部分が通される梁挿通溝４０を設けて、三角屋根の天井裏において、大型の当該室内機１０Ａを登り梁３により邪魔されることなく組み立て可能としている。
【００３４】
梁挿通溝４０は、支持具２７に設けられる梁避け部２８によって形成されている。図３，図４を参照して、支持具２７は、上面パネル２１の内面に沿う上辺２７１、側面パネル２３の幕板２３２の内面に沿う側辺２７２および熱交換器２５の端部が嵌合される保持溝２７３を有する金属板からなる。金属板に代えて合成樹脂板が用いられてもよい。
【００３５】
上辺２７１には、上面パネル２１の内面に当接するフランジ片２７１ａが形成されている。また、側辺２７２には、幕板２３２の内面に当接するフランジ片２７２ａが形成されている。
【００３６】
フランジ片２７２ａと幕板２３２には、両者をネジ止めするためのネジ挿通孔２７２ｂ，２３２ｂがそれぞれ穿設されている。保持溝２７３には、第１熱交換器２５ａの上面が当接される位置決め面２７３ａと第２熱交換器２５ｂの下面が当接される位置決め面２７３ｂとが形成されている。
【００３７】
梁挿通溝４０を形成する梁避け部２８は、支持具２７の上辺２７１に支持具２７と一体に形成されている。この実施形態（第１実施形態）では、図３に示すように、上面パネル２１の送風機ユニット３０との連結側寄りの中間位置にコ字状の切欠部２１ａが形成されているとともに、側面パネル２３の上辺２３ａ側にも切欠部２１ａに対応する凹状の溝２３３が形成されており、梁避け部２８は切欠部２１ａ内に配置される。
【００３８】
図４に示すように、梁避け部２８は、支持具２７の上辺２７１から所定の傾斜角で下り勾配となる傾斜面を有する傾斜板２８１と、傾斜板２８１の両辺からほぼ直角に立ち上がる側板２８２，２８３とを備えている。側板２８２，２８３は、梁挿通溝４０の部分から空気漏れが生じないように設けられている。
【００３９】
傾斜板２８１の下辺および側板２８２，２８３との間の側辺には、それぞれ、側面パネル２３の内面に当接するフランジ片２８１ａ，２８２ａ，２８３ａが連設されている。この実施形態において、これらフランジ片２８１ａ，２８２ａ，２８３ａは、側面パネル２３にネジ止めされる。また、側板２８２，２８３の上辺には、上面パネル２１の内面と対向するフランジ片２８２ｂ，２８３ｂが連設されている。
【００４０】
この実施形態によれば、熱交換器２５の両端に支持具２７を装着し、熱交換器２５を筐体２０Ａ内に組み込むに伴って、支持具２７に設けられている梁避け部２８が上面パネル２１の切欠部２１ａと側面パネル２３の溝２３３の間に配置され、筐体２０Ａの上辺側の両角部に登り梁３の一部分が通される梁挿通溝４０が形成される。なお、梁避け部２８による梁挿通溝４０は、筐体２０Ａの上辺側の片側の角部に設けられてもよい。
【００４１】
上記実施形態での支持具２７は、平面状の第１熱交換器２５ａおよび第２熱交換器２５ｂの各一辺側を連結してくさび状とした熱交換器用であるが、図５に示すように、１つの平面型の熱交換器２５ａ（もしくは２５ｂ）用の支持具２７ａであってもよい。この場合、支持具２７ａには、熱交換器２５ａの端部が嵌合されるスリット状の保持溝２７３ｃが形成されることになる。
【００４２】
いずれにしても、支持具２７（２７ａ）は、熱交換器２５を熱交換ユニット２０内に設置するにあたって必ず必要とされる部品であるため、支持具２７（２７ａ）の一部分に梁避け部２８を設けることにより、支持具２７（２７ａ）と梁避け部２８を一つの部品として纏めることができ、梁避け部２８を単独の別部品として用意する必要はない。
【００４３】
図１ないし図３を参照して、上記実施形態（第１実施形態）では、梁挿通溝４０が送風機ユニット３０との連結側寄りの中間位置に配置されているため、熱交換ユニット２０を登り梁３，３間に設置する場合には、熱交換ユニット２０をその幅Ｗが登り梁３，３間に入る位置にまで下げて梁挿通溝４０，４０内に登り梁３，３が入るようにした後、熱交換ユニット２０を所定の高さ位置にまで持ち上げればよい。
【００４４】
これに対して、図６，図７に示す第２実施形態の梁挿通溝４０Ａによれば、当該梁挿通溝４０Ａが送風機ユニット３０との連結部に接して設けられることにより、熱交換ユニット２０を横方向（図７において送風機ユニット３０側で、図９では矢印Ａ方向）に移動させるだけで登り梁３，３間に設置することができる。
【００４５】
この梁挿通溝４０Ａは、先の図３において上面パネル２１に形成されているコ字状の切欠部２１ａをＬ字状とし、また、側面パネル２３の上辺２３ａ側に形成されている凹状の溝２３３を同じくＬ字状にするとともに、図４において梁避け部２８に設けられている側板２８２，２８３のうちの外側の側板２８２を削除することにより得られる。
【００４６】
このような梁挿通溝４０Ａを備えることにより、熱交換ユニット２０をほぼ水平として横方向（図７において送風機ユニット３０側で、図９では矢印Ａ方向）に移動させるだけで梁挿通溝４０Ａを登り梁３に嵌合させることができる。この梁挿通溝４０Ａも、熱交換ユニット２０の幅Ｗの寸法に応じて両角部もしくは片側の角部に設けられる。
【００４７】
以上説明したように、本発明によれば、熱交換ユニット２０の外郭を構成する筐体２０Ａの上辺側の角部（両角部または片側の角部）に、登り梁３の一部分が通される梁挿通溝４０を形成する梁避け部２８が設けられているため、室内機の長さが登り梁３の間隔よりも長い室内機を登り梁を避けて設置することができる。
【符号の説明】
【００４８】
１０Ａ  室内機
２０  熱交換ユニット
２０Ａ  筐体（第１筐体）
２１  上面パネル
２２  底面パネル
２３（２３Ｌ，２３Ｒ）  側面パネル
２５（２５ａ，２５ｂ）  熱交換器
２６  ドレンパン
２７  保持具
２８  梁避け部
３０  送風機ユニット
３０Ａ  筐体（第２筐体）
３１  上面パネル
３２  底面パネル
３３（３３Ｌ，３３Ｒ）  側面パネル
３４  仕切り板
３４ａ  通風窓
４０  梁挿通溝
【図１】
2018194248.tif 000003
【図２】
2018194248.tif 000004
【図３】
2018194248.tif 000005
【図４】
2018194248.tif 000006
【図５】
2018194248.tif 000007
【図６】
2018194248.tif 000008
【図７】
2018194248.tif 000009
【図８】
2018194248.tif 000010
【図９】
2018194248.tif 000011